(57)【特許請求の範囲】
【請求項１】
選択されたチャンネルの放送信号を受信する第１及び第２の受信手段と、
前記第１及び第２の受信手段で受信された放送信号を夫々第１及び第２の画像信号に変換する画像処理手段と、
ユーザから選択された髪型、顔の輪郭、目の形、口の形、鼻の形を含む顔の各パターンのデータを登録画像として、前記登録画像を特定する特定情報とともに登録する登録手段と、
前記第２の画像信号を取り込み、前記第２の画像信号に人物の顔の画像があるか否かを判定し、人物の顔があると判定されて、その人物の顔が所定時間の間表示されている場合に、前記第２の画像信号に含まれるその人物の顔の画像から髪型、顔の輪郭、目の形、口の形、鼻の形の各パターンを抽出し、その抽出した各パターンと前記登録画像の各パターンの一致率を算出し、パターン一致率が所定値以上であれば前記第２の画像信号に前記登録画像が含まれると判断することにより、前記第２の画像信号において前記登録画像を検索し、前記登録画像が含まれるチャンネル番号と、前記登録画像を特定する前記特定情報と、前記パターン一致率と、をメモリの検索結果領域に蓄積する検索手段と、
前記メモリの検索結果領域に蓄積された、前記登録画像が含まれるチャンネル番号と、前記登録画像を特定する前記特定情報と、前記パターン一致率と、を表す通知画像の信号を生成し、前記パターン一致率が高い順に、前記チャンネル番号が並べられた前記通知画像の信号を出力する通知手段と、
前記通知画像の信号を、前記第１の画像信号に合成する画像合成手段と、を備え、
前記各パターンは、ユーザからの選択により重み付けがなされることを特徴とするテレビ受像機。
【発明の詳細な説明】
【技術分野】
【０００１】
本発明は、テレビ受信機、特に、ユーザが登録した人物を検索する機能を備えたテレビ受信機に関する。
【背景技術】
【０００２】
特許文献１には、特定の俳優などのユーザの嗜好情報を登録しておき、記録を開始した番組の画像、音声、番組内容がユーザの嗜好情報に一致する嗜好レベルを算出し、そのレベルを保持削除パラメータメモリに記憶されたレベルと比較し、嗜好レベルが低いとされるときには、削除器により記録した番組の消去を行う番組信号の記録方法が記載されている。このような番組信号の記録方法によれば、ユーザの嗜好レベルが低い番組を自動的に消去することができる。
【特許文献１】特開２００２−３５４３９１号公報
【発明の開示】
【発明が解決しようとする課題】
【０００３】
特許文献１に記載の番組信号の記録方法では、記録中の番組がユーザの嗜好に一致する度合いが低い場合に、記録中の番組を自動的に消去する。即ち、ユーザの嗜好に一致する度合いが低い番組を自動的に消去することにより、不要な番組によって蓄積媒体の容量を消費しないようにするものである。しかし、ユーザの嗜好に一致するか否かの判断は、嗜好レベルと予め設定されたレベルとを比較することによって自動的に行うものであり、比較の精度が低い場合には、ユーザの嗜好に合わない番組が記録されてしまったり、逆に、ユーザの嗜好に合致していたにもかかわらず番組が削除されてしまい、ユーザが嗜好する番組を見逃す虞がある。
【０００４】
また、ユーザは、他の番組を視聴中であっても、嗜好に合致する番組が別のチャンネルで放送されていれば、チャンネルを切り換えてその番組を見たい場合があるが、特許文献１にはこのような場合については記載されていない。
【０００５】
本発明の目的は、ユーザが、嗜好に合致する番組を確実に視聴できるようにすることにある。
【０００６】
本発明の目的は、ユーザが、番組を視聴中に他のチャンネルで嗜好に合致する番組があれば、そのチャンネルに変更できるようにすることである。
【課題を解決するための手段】
【０００７】
本発明に係るテレビ受信機は、第１及び第２の受信手段と、画像処理手段と、登録手段と、検索手段と、通知手段と、画像合成手段とを備えている。第１及び第２の受信手段は、選択されたチャンネルの放送信号を受信する。画像処理手段は、第１及び第２の受信手段で受信された放送信号を夫々第１及び第２の画像信号に変換する。登録手段は、ユーザから選択された髪型、顔の輪郭、目の形、口の形、鼻の形を含む顔の各パターンのデータを登録画像として、前記登録画像を特定する特定情報とともに登録する。検索手段は、前記第２の画像信号を取り込み、前記第２の画像信号に人物の顔の画像が所定時間以上表示されている場合に、前記第２の画像信号に含まれる人物の顔の画像のパターンと前記登録画像とのパターン一致率を算出し、パターン一致率が所定値以上であれば前記第２の画像
信号に前記登録画像が含まれると判断することにより、前記第２の画像信号において前記登録画像を検索する。通知手段は、前記第２の画像信号において前記登録画像が含まれる場合に、前記登録画像が含まれるチャンネル番号と、前記登録画像を特定する前記特定情報と、前記パターン一致率と、を対応付けた通知画像を生成し、出力する。画像合成手段は、前記パターン一致率が高い順に、前記チャンネル番号を並べて、前記通知画像を前記第１の画像信号に合成する。また、各パターンは、ユーザからの選択により重み付けがなされるようになっている。
【０００９】
このテレビ受信機では、２つの受信手段（チューナ）を備えており、第１の受信手段で受信した放送信号を画面に表示するとともに、第２の受信手段で受信した放送信号に登録画像（ユーザの嗜好する画像、例えば、ユーザから選択された髪型、顔の輪郭、目の形、口の形、鼻の形を含む顔の各パターン）が含まれているか否かを判断し、登録画像が含まれている場合には、そのチャンネル番号と、登録画像を特定する情報（例えば、人物名）、パターン一致率とを対応付け、これらの情報（通知画像）を視聴中の画面に重ねて表示させることができる。従って、ユーザは、放送を視聴中に、他のチャンネルで登録画像の人物が登場していることを画面上の通知画像によって知ることができ、登録画像の人物が登場するチャンネルに変更することができる。また、切り換えたチャンネルの画面で、登録画像の人物に実際に一致するか否かを確認して、一致していれば視聴又は録画を行い、また、一致していなければ視聴及び録画を行わないようにできる。この結果、ユーザは、嗜好に合致する番組を見逃すことが無く、確実に視聴できるようになる。
【００１１】
登録手段は、髪型、顔の輪郭、目の形、口の形、鼻の形を含む顔の各パターンの選択をユーザから受け付け、選択された各パターンのデータを前記登録画像として登録するように構成されても良い。この場合、目、鼻、口、顔の輪郭、髪型等を指定することにより人物の似顔絵を構成して、人物の顔の画像を登録できる。このようにすれば、例えば、放送に含まれる頻度の少ない人物の画像を登録することができる。また、登録したい人物が放送に現れるまで待たなくても、人物の画像を登録することができる。
【００１２】
検索手段は、前記パターン一致率の算出の前に、前記第２の画像信号に人物の画像が所定時間以上表示されているか否かを判別し、所定時間以上表示されている場合に前記パターン一致率の算出を行うように構成されても良い。所定時間を適切に設定すれば、人物の画像が所定時間以上表示されない場合には放送がコマーシャルであると判断し、その人物の画像についてパターン一致率の算出を行って通知画像を表示することを防止する。コマーシャル中の人物も検索したい場合には、所定時間を短く設定すれば良い。
【００１４】
通知手段は、前記パターン一致率が高い順に、前記チャンネル番号を並べるようにしても良い。このようにすれば、ユーザは、登録画像の人物とのパターン一致率が高い人物が表示されるチャンネルを知ることができ、複数のチャンネルに登録画像の人物が登場している可能性がある場合に、可能性が高いチャンネルに優先的に切り換えることができる。
【発明の効果】
【００１５】
本発明によれば、ユーザが、嗜好に合致する番組を確実に視聴できるようになる。
【００１６】
また、本発明によれば、ユーザが、番組を視聴中に他のチャンネルで嗜好に合致する番組があれば、そのチャンネルに変更できるようになる。
【発明を実施するための最良の形態】
【００１７】
以下、図面を参照して本発明の実施形態について具体的に説明する。
【００１８】
図１は、本発明の一実施形態に係るテレビ受信機の概略構成図である。このテレビ受信機は、表示部を有するテレビ受信機であっても良いし、表示部とは別体のチューナ装置であっても良い。このテレビ受信機は、ダブルチューナ搭載機であり、夫々独立に選択されたチャンネルの放送信号を受信するチューナ１及び２を備えている。チューナ１及び２によれば、チューナ１で選択されたチャンネルの放送を画面に表示しながら、チューナ２で別のチャンネルの放送信号を受信することができる。チューナ１及び２は、チューナユニットにより構成しても良い。画像処理部３は、チューナ１及び２で夫々受信された放送信号を処理して画面表示用の画像信号に変換する。また、画像処理部３は、チューナ２で受信された放送信号から生成される画像信号を制御部５に出力する。画像合成部４は、画像処理部３から出力される画像信号に、後述する制御部５から出力される画像をＯＳＤ画像として合成する。ここでは、チューナ１で受信した放送信号に基づく画像信号に、制御部５から出力される通知画像をＯＳＤ画像として合成し、チューナ１で受信した放送に通知画像がＯＳＤ画像として重ねて表示されるようにする。制御部５は、チューナ１及び２に夫々チャンネルを設定するとともに、画像処理部３から取り込んだ画像に基づいて通知画像を生成し、画像合成部４に出力する。メモリ６は、制御部５での処理に必要な各種のデータが蓄積される。また、入力部７は、テレビ受信機本体のボタンやリモコン等で構成され、ユーザからの操作を受け付ける。
【００１９】
図２は、メモリ６に蓄積されるデータの構成例である。メモリ６は、取込画像領域、登録画面領域及び検索結果領域を有している。取込画像領域には、画像処理部３から取り込まれた画像信号のチャンネル番号（ｘ１，ｘ２・・・）と、取込画像のデータ（ｙ１，ｙ２・・・・ｚ１，ｚ２・・・）とが対応付けて蓄積される。登録画像領域には、ユーザによって登録された登録画像（ａ１，ａ２・・・）と、当該登録画像の登録名（ｂ１，ｂ２・・・）とが対応付けて蓄積される。登録画像は、画面に表示されている画像を静止画として取り込み、静止画中からユーザによって選択された人物として登録しても良い。この場合、登録画像（ａ１，ａ２・・・）は、人物の顔の静止画である。また、登録画像（ａ１，ａ２・・・）は、ユーザから選択された髪型、顔の輪郭、目の形、口の形、鼻の形を含む顔の各パターンによって登録しても良い。この場合、登録画像（ａ１，ａ２・・・）は、各パターンのデータから構成される。検索結果領域には、登録名（ｂ１，ｂ２・・・）と、チャンネル番号（ｘ１，ｘ２・・・）と、パターン一致率（ｒ１，ｒ２・・・）と、が蓄積される。
【００２０】
制御部５の処理についてより詳細に説明する。制御部５は、画像登録部５１と、画像検索部５２と、通知部５３とを有している。
【００２１】
画像登録部５１は、ユーザから選択された髪型、顔の輪郭、目の形、口の形、鼻の形を含む顔の各パターンから似顔絵を作成し（似顔絵作成機能）、各パターンのデータを登録画像として、登録名と対応付けて、メモリ６の登録画像領域に登録する。登録名は、登録画像を特定する特定情報であり、例えば、登録する人物の氏名でも良いし、ユーザが自由に選択する文字や数字であっても良く、ユーザが当該登録人物を認識できるようなデータであれば良い。
【００２２】
画像検索部５２は、ユーザから登録人物の検索指示があった場合、又は予め登録人物の検索指示が設定されている場合に、画像処理部３からチューナ２の画像信号を取り込む。画像検索部５２は、取込画像中に人物の顔があるか否かを判定し、人物の顔があれば、所定時間（例えば、数秒間）の間、選局した番組においてその人物の顔が表示されているか否かを判定する。その人物の顔が、所定時間の間、同番組に表示されている場合には、当該人物の顔のデータ（取込画像）と、当該番組の放送のチャンネルとを対応付けて、メモリ６の取込画像領域に蓄積し、取込画像から各パターン（髪型、顔の輪郭、目、口、鼻の形）を抽出する。その後、抽出した各パターン（髪型、顔の輪郭、目、口、鼻の形）と、登録画像（例えばａ１）の各パターンとを比較し、両者のパターン一致率を算出する。その結果、パターン一致率が予め設定した設定値（例えば８０％）以上であれば、登録画像（例えばａ１）が番組に含まれると判断する。なお、ユーザからの選択により各パターンの何れかに重み付けを行い、例えば「髪型」と「顔の輪郭」とに大きな重み付けを行って「髪型」及び「顔の輪郭」のパターン一致率が高い人物を優先的に検索するようにしても良い。また、必要な項目をユーザが選択できるようにしても良い。例えば、「目の形」のみ、「目の形」と「口の形」のみ等でパターン一致率の判定を行っても良い。また、画像検索部５２は、登録画像の人物が登場している番組を見つけた場合に、その登録画像の登録名と、番組のチャンネル番号と、パターン一致率とを、メモリ６の検索結果領域に蓄積する。
【００２３】
通知部５３は、メモリ６の検索結果領域に蓄積された検索結果（登録名、チャンネル番号、一致度）を表す通知画像の信号を生成し、画像合成部４に出力する。なお、パターン一致率は、例えば８０％、８５％、９０％等のように数値で表示しても良いし、「低」、「中」、「高」（例えば８０％以上では「低」、８５％以上では「中」、９０％以上では「高」）ように度合いが分かる文字で表示しても良い。画像合成部４で通知画像がＯＳＤ画像として合成され、図３に示すように、チューナ１の画像信号に重ねて通知画像が表示される。ここでは、登録名ｂ１の人物がチャンネル番号ｘ１及びｘ２の番組に登場しており、チャンネル番号ｘ１ではパターン一致率が高く、チャンネル番号ｘ２ではパターン一致率が中程度である。通知画像では、パターン一致度の高い順にチャンネル番号を並べても良い。
【００２４】
以下、図４のフローチャートを参照して、登録人物の検索及び通知処理について説明する。チューナ１の番組を視聴中にユーザから登録人物の検索指示があった場合、又は予め登録人物の検索指示が設定された後に番組を視聴すると、チューナ２の画像信号が取り込まれ（ステップＳ１１）、チューナ２の画像信号中に人物の顔が在るか否かを判定する（画像認識処理、ステップＳ１２）。ステップＳ１３では、チューナ２の画像信号中に人物の顔が在ると判定された場合には、人物の顔の画像を取込画像としてメモリ６に蓄積し、ステップＳ１４に移行する。一方、ステップＳ１３で人物の顔がないと判定された場合には、ステップＳ１１に戻る。
【００２５】
ステップＳ１４では、取込画像の顔において、髪型、顔の輪郭、目、口、鼻の形の各パターンを抽出する（顔パターン認識）。ステップＳ１５では、髪型、顔の輪郭、目、口、鼻の形の各パターンごとに、登録画像と取込画像とを比較し、両者のパターン一致率を算出する。登録画像が複数ある場合には、各登録画像についてパターン一致率を算出する。
【００２６】
ステップＳ１６では、パターン一致率が所定値（例えば８０％）以上か否かを判定する。パターン一致率が所定値以上であればステップＳ１７に移行し、パターン一致率が所定値未満であればステップＳ１１に戻る。
【００２７】
ステップＳ１７では、登録画像と取込画像との一致率が所定値以上である場合に、当該登録画像の登録名と、当該取込画像のチャンネル番号と、パターン一致率と、を対応付けてメモリ６に蓄積する。
【００２８】
ステップＳ１８では、視聴中の画面に検索結果をＯＳＤ表示することによって、視聴者に検索結果を通知し（図３）、チューナ２を別のチャンネルに移行させる（ステップＳ１９）。
【００２９】
〔作用効果〕
このテレビ受信機では、２つのチューナ１及び２を備えており、チューナ１で受信した放送を画面で視聴しながら、チューナ２で受信する番組に登録人物の顔（登録画像）が含まれているか否かを判断し、登録人物の顔が含まれている場合には、そのチャンネル番号と、登録名と、パターン一致率、とを対応付けて、視聴者が見ている画面にＯＳＤ表示にて通知する。従って、ユーザは、チューナ１の放送を視聴中に、他のチャンネルで登録人物が登場していることをＯＳＤ表示によって知ることができ、登録人物が登場してるチャンネルに変更することができる。また、切り換えた先のチャンネルの画面で、登録人物が実際に登場しているか否かを確認して、登場していれば、そのまま視聴又は録画を行い、一方、登場していなければ、視聴及び録画を行わずにチャンネルを元に戻すことができる。この結果、ユーザは、嗜好に合致する番組を見逃すことが無く、確実に視聴できるようになる。例えば、ユーザのお好みの人物が裏番組で登場している場合にユーザにＯＳＤ表示で知らせるので、お好みの人物が登場している番組を見逃すことがない。
【図面の簡単な説明】
【００３０】
【図１】本発明の一実施形態に係るテレビ受信機の概略構成図。
【図２】取込画像、登録画像、検索結果のデータ構成例。
【図３】検索結果の通知の画面表示例。
【図４】検索及び通知処理のフローチャート。
【符号の説明】
【００３１】
１，２  チューナ
３  画像処理部
４  画像合成部
５  制御部
６  メモリ
７  入力部
【図１】
0004009959.tif 000002
【図２】
0004009959.tif 000003
【図３】
0004009959.tif 000004
【図４】
0004009959.tif 000005